(57)【要約】【課題】ポータブルトイレの剛性を向上させる新規構造の提案【解決手段】  ポータブルトイレ１０は、便器本体１００の底部１０４に、底部１０４の前後左右の隅部において便器本体１００の内部に突出したボス１２１〜１２４を有している。脚５００、６００の軸部５０１、５０２（６０１、６０２）は、ボス１２１〜１２４に装着されている。さらに、当該ボス１２１〜１２４には、便器本体１００の内部に配置されたホルダ２４０Ｌ、２４０Ｒが装着されている。【選択図】図６
2016123606.tif 000002
【特許請求の範囲】
【請求項１】
便器本体と、
ホルダと、
脚と
を備え、
前記便器本体は、
上下に組み合わされる上側部材と、下側部材とを備え、
前記上側部材は、
上面部と、側面部とを有し、
前記下側部材は、
前記上側部材の側面部と組み合わされた側面部と、底部と、前記底部の前後左右の隅部において前記便器本体の内部に突出したボスとを有し、
前記ホルダは、
前記便器本体の内部に配置され、前記ボスに装着された筒部と、前記下側部材の内側面に沿って延びた外側部と、前記筒部と前記外側部とを繋ぐ中間部とを有し、
前記脚は、
前記底部の前後左右の隅部に形成された前記ボスに、それぞれ装着された軸部を有している、ポータブルトイレ。
【請求項２】
前記ホルダは、前記底部の前後左右の隅部に形成されたボスのうち、左側の前後に配置された２つのボスに装着される左側ホルダを備えており、
前記左側ホルダは、
前記左側の前後に配置された２つのボスに装着される２つの筒部と、
前記２つのボスの周りにおいて前記下側部材の内側面に沿って延びた外側部と、
前記２つの筒部と前記外側部とを繋ぐ中間部と
を有している、請求項１に記載されたポータブルトイレ。
【請求項３】
前記ホルダは、前記底部の前後左右の隅部に形成されたボスのうち、右側の前後に配置された２つのボスに装着される右側ホルダを備えており、
前記右側ホルダは、
前記右側の前後に配置された２つのボスに装着される２つの筒部と、
前記２つのボスの周りにおいて前記下側部材の内側面に沿って延びた外側部と、
前記２つの筒部と前記外側部とを繋ぐ中間部と
を有している、請求項１または２に記載されたポータブルトイレ。
【請求項４】
前記ホルダは、前記底部の前後左右の隅部に形成されたボスのうち、前側の左右に配置された２つのボスに装着される前側ホルダを備えており、
前記前側ホルダは、
前記前側の左右に配置された２つのボスに装着される２つの筒部と、
前記２つのボスの周りにおいて前記下側部材の内側面に沿って延びた外側部と、
前記２つの筒部と前記外側部とを繋ぐ中間部と
を有している、請求項１に記載されたポータブルトイレ。
【請求項５】
前記ホルダは、前記底部の前後左右の隅部に形成されたボスのうち、後側の左右に配置された２つのボスに装着される後側ホルダを備えており、
前記後側ホルダは、
前記後側の左右に配置された２つのボスに装着される２つの筒部と、
前記２つのボスの周りにおいて前記下側部材の内側面に沿って延びた外側部と、
前記２つの筒部と前記外側部とを繋ぐ中間部と
を有している、請求項１または４に記載されたポータブルトイレ。
【請求項６】
前記ホルダは、前記底部の前後左右の隅部に形成されたボスに、それぞれ装着された４つのホルダで構成されている、請求項１に記載されたポータブルトイレ。
【請求項７】
前記ホルダの外側部は、前記筒部周りの複数の方向において、前記下側部材の内側面に接している、請求項１から６までの何れか一項に記載されたポータブルトイレ。
【請求項８】
前記ホルダと前記下側部材とは、前記筒部の他に、前記ホルダを下側部材に対して係止する係止部を備えた、請求項１から７までの何れか一項に記載されたポータブルトイレ。
【請求項９】
前記ホルダを前記便器本体に固定する締結具を備えた、請求項１から８までの何れか一項に記載されたポータブルトイレ。
【発明の詳細な説明】
【技術分野】
【０００１】
本発明はポータブルトイレに関する。
【背景技術】
【０００２】
ポータブルトイレは、使用者の体格に応じて、高さを変える構造を有している場合があり、種々の構造が提案されている。例えば、特開２００１−３４６７１８号公報には、外側面に凹溝が形成された脚を、本体の底板に設けられた円孔に設けられた突起に噛み合わせた形態が開示されている。また、ポータブルトイレの高さを変える構造として、特開２０１０−２４０１６５号公報、特開２０１２−２３９６４１号公報などに、種々の構造が提案されている。
【先行技術文献】
【特許文献】
【０００３】
【特許文献１】特開２００１−３４６７１８号公報
【特許文献２】特開２０１０−２４０１６５号公報
【特許文献３】特開２０１２−２３９６４１号公報
【発明の概要】
【発明が解決しようとする課題】
【０００４】
ところで、本発明者は、上側部材と下側部材とが上下に組み合わされ、下側部材の底部に、便器本体の内部に突出したボスを有する、樹脂性の便器本体を新たに提案する。この場合、上側部材は、上面部と、側面部とを有し、下側部材は、上側部材の側面部と組み合わされた側面部と、底部とを有している。底部から、便器本体の内部に突出したボスには、脚の軸部が装着されるため、比較的大きな荷重が作用する。かかるボスを補強するべく、ボスの周りにリブを配置してもよい。この場合、ボスの周りに配置したリブは、下側部材の内周面から立ち上がるように設けるとよい。しかし、下側部材を樹脂成形する場合、下側部材の内周面でリブが立ち上がった部位では、下側部材の外周面にヒケが生じる場合がある。下側部材の側面において、このようなヒケが目立つと、便器本体の美観を損ねてしまう場合がある。
【課題を解決するための手段】
【０００５】
ここで提案されるポータブルトイレは、便器本体と、ホルダと、脚とを備えている。ここで、便器本体は、上下に組み合わされる上側部材と、下側部材とを備えている。上側部材は、上面部と、側面部とを有している。下側部材は、上側部材の側面部と組み合わされた側面部と、底部と、底部の前後左右の隅部において便器本体の内部に突出したボスとを有している。ホルダは、便器本体の内部に配置され、ボスに装着された筒部と、下側部材の内側面に沿って延びた外側部と、筒部と外側部とを繋ぐ中間部とを有している。脚は、底部の前後左右の隅部に形成されたボスに、それぞれ装着された軸部を有している。
【０００６】
かかる構造によれば、ポータブルトイレの便器本体の美観を損なわせずに、便器本体およびボスの剛性が向上する。
【０００７】
ホルダは、底部の前後左右の隅部に形成されたボスのうち、左側の前後に配置された２つのボスに装着される左側ホルダを備えていてもよい。この場合、左側ホルダは、左側の前後に配置された２つのボスに装着される２つの筒部と、２つのボスの周りにおいて下側部材の内側面に沿って延びた外側部と、かかる２つの筒部と外側部とを繋ぐ中間部とを有しているとよい。
【０００８】
また、ホルダは、底部の前後左右の隅部に形成されたボスのうち、右側の前後に配置された２つのボスに装着される右側ホルダを備えていてもよい。この場合、右側ホルダは、右側の前後に配置された２つのボスに装着される２つの筒部と、２つのボスの周りにおいて下側部材の内側面に沿って延びた外側部と、かかる２つの筒部と外側部とを繋ぐ中間部とを有しているとよい。
【０００９】
また、ホルダは、底部の前後左右の隅部に形成されたボスのうち、前側の左右に配置された２つのボスに装着される前側ホルダを備えていてもよい。この場合、前側ホルダは、前側の左右に配置された２つのボスに装着される２つの筒部と、２つのボスの周りにおいて下側部材の内側面に沿って延びた外側部と、かかる２つの筒部と外側部とを繋ぐ中間部とを有しているとよい。
【００１０】
また、ホルダは、底部の前後左右の隅部に形成されたボスのうち、後側の左右に配置された２つのボスに装着される後側ホルダを備えていてもよい。この場合、後側ホルダは、後側の左右に配置された２つのボスに装着される２つの筒部と、２つのボスの周りにおいて下側部材の内側面に沿って延びた外側部と、かかる２つの筒部と前記外側部とを繋ぐ中間部とを有しているとよい。
【００１１】
また、ホルダは、底部の前後左右の隅部に形成されたボスに、それぞれ装着された４つのホルダで構成されていてもよい。
【００１２】
また、ホルダの外側部は、筒部周りの複数の方向において、下側部材の内側面に接していてもよい。
【００１３】
また、ホルダと下側部材とは、筒部の他に、ホルダを下側部材に対して係止する係止部を備えていてもよい。
【００１４】
また、ポータブルトイレは、ホルダを便器本体に固定する締結具を備えていてもよい。
【図面の簡単な説明】
【００１５】
【図１】図１はポータブルトイレ１０の斜視図である。
【図２】図２はポータブルトイレ１０の斜視図である。
【図３】図３はポータブルトイレ１０の斜視図である。
【図４】図４は、ポータブルトイレ１０の蓋２０を閉じた状態での平面図である。
【図５】図５は、便器本体１００の上面部１０２を示すポータブルトイレ１０の平面図である。
【図６】図６は、図５の状態から便器本体１００の上側部材２１０を取り外した状態を示す平面図である。
【図７】図７は、図６のＶＩＩ−ＶＩＩ断面矢視図である。
【図８】図８は、図６の状態から左右のホルダ２４０Ｌ、２４０Ｒを取り外した状態を示す平面図である。
【図９】図９は、図８のＩＸ−ＩＸ断面矢視図である。
【図１０】図１０は、便器本体１００から脚５００，６００を取り外した状態を示す側面図である。
【図１１】図１１は、左側ホルダ２４０Ｌの平面図である。
【図１２】図１２は、図１１のＸＩＩ−ＸＩＩ断面矢視図である。
【図１３】図１３は、ポータブルトイレ１０の変形例である。
【図１４】図１４は、ポータブルトイレ１０の変形例である。
【発明を実施するための形態】
【００１６】
以下、ここで提案されるポータブルトイレを図面に基づいて説明する。以下の説明において、ポータブルトイレに関し、前、後、左、右というときは、それぞれ便座に腰掛けた使用者から見た方向を基準にしている。図面には、前（Ｆ）、後（Ｂｋ）、左（Ｌ）、右（Ｒ）に対応させて、それぞれ符号Ｆ、Ｂｋ、Ｌ、Ｒが適宜に付されている。また、各図において同じ作用を奏する部材や部位には、同じ符号を付し、適宜に重複する説明を省略している。
【００１７】
《ポータブルトイレ１０》
図１から図３はそれぞれポータブルトイレ１０の斜視図である。ここで、図１は、蓋２０が開いた状態（蓋２０が上げられた状態）を示している。図２は、図１の状態から便座３０を上げ、バケツ４０の蓋４２（バケツ蓋）と、左側の肘掛３００とを取り外した状態を示している。図３は、図２の状態からバケツ４０を取り外した状態を示すポータブルトイレ１０の斜視図である。また、図４は、ポータブルトイレ１０の蓋２０を閉じた状態での平面図である。
【００１８】
ポータブルトイレ１０は、図１から図４に示すように蓋２０と、便座３０と、バケツ４０と、トレイ５０と、便器本体１００と、背もたれ２５０と、肘掛３００、４００と、脚５００、６００とを備えている。
【００１９】
《蓋２０》
蓋２０は、ポータブルトイレ１０の便座３０に被せられる部材である。この実施形態では、蓋２０は、図１に示すように、矩形の部材であり、後側の縁にヒンジ２１が取り付けられている。蓋２０は、ヒンジ２１を軸にして回動する。蓋２０は、前後方向の中間部に蝶番２２が取り付けられている。蓋２０は、蝶番２２によって前後方向の中間部で折り曲げることができる。折り曲げられた蓋２０は、背もたれ２５０に設けられた開口２５１を通すことができる。背もたれ２５０に設けられた開口２５１に蓋２０を通すことによって、蓋２０の姿勢は、背もたれ２５０の前で便座３０の上に配置された姿勢（図４参照）と、背もたれ２５０の後ろに引き上げた姿勢（図１に示す状態）とに適宜に変えられる。
【００２０】
《便座３０》
便座３０は、図１に示すように、便器本体１００の上面の中央部に配置されている。かかる便座３０は、ヒンジ３１を介して便器本体１００（ここでは、トレイ５０）に取り付けられている。この実施形態では、便座３０後部の両側部が、ヒンジ３１を介してトレイ５０に設けられた基部５４に対して回動可能に保持されている。そして、便座３０の姿勢は、図１に示すように、便器本体１００の上面に配置された姿勢と、図２に示すように、便器本体１００の上面から引き上げられた姿勢とで適宜に変えられる。この実施形態では、便座３０は、使用者がお尻を受ける座面を有する。便座３０の中央には開口３２が形成されている。
【００２１】
《バケツ４０》
バケツ４０は、使用者の排便を受けるバケツであり、「汚物受け」と称されうる。この実施形態では、バケツ４０は、上部が開口した底が深い有底の容器である。図３および図４に示すように、便器本体１００は、当該バケツ４０を収容する窪んだ収容部１０１を有している。収容部１０１は、「汚水受け」とも称されうる。バケツ４０と収容部１０１は、異形形状であり、バケツ４０は予め定められた向きで収容部１０１に収められる。図２に示すように、バケツ４０の上縁には取っ手４１が取り付けられている。バケツ４０が収容部１０１に収容された状態では、取っ手４１はバケツ４０の後方へ廻される。また、図１に示すように、バケツ４０の開口には蓋４２（バケツ蓋）が装着される。
【００２２】
《トレイ５０》
この実施形態では、図３に示すように、便器本体１００の収容部１０１を囲むように便器本体１００の上部にトレイ５０が置かれている。トレイ５０は、便器本体１００の上面に置かれている。トレイ５０の上には便座３０が配置される。トレイ５０の中央部には、収容部１０１の上部開口に合わせた形状の開口５１が形成されている。トレイ５０の開口５１の縁およびトレイ５０の外縁には、上方に向けて連続して立ち上がった壁５２、５３がそれぞれ設けられている。トレイ５０の上に落ちた汚水は、かかる壁５２、５３によってトレイ５０の上面に受けられる。この実施形態では、トレイ５０には、便座３０のヒンジ３１を取り付ける基部５４が設けられている。
【００２３】
《便器本体１００》
次に、便器本体１００を説明する。便器本体１００は、図１および図５に示すように、収容部１０１と、上面部１０２と、外郭部１０３と、底部１０４とを有している。
【００２４】
ここで、図５は、便器本体１００の上面部１０２を示すポータブルトイレ１０の平面図である。図５では、便座３０（図１参照）と、バケツ４０（図２参照）および蓋４２（バケツ蓋、図１参照）と、トレイ５０（図３参照）と、背もたれ２５０と、左右の肘掛３００、４００とを、便器本体１００の上面から取り外した状態が示されている。図６は、図５の状態から便器本体１００の上側部材２１０を取り外した状態を示す平面図である。図７は、図６のＶＩＩ−ＶＩＩ断面矢視図である。図８は、図６の状態から便器本体１００の下側部材２２０から左右のホルダ２４０Ｌ、２４０Ｒを取り外した状態を示す平面図である。図９は、図８のＩＸ−ＩＸ断面矢視図である。また、図１０は、便器本体１００から脚５００，６００を取り外した状態を示す側面図である。
【００２５】
《収容部１０１》
収容部１０１は、図３および図５に示すように、バケツ４０が収められた窪んだ部位である。この実施形態では、バケツ４０の上縁４３（図２参照）は、周方向に連続して外側に屈曲している。バケツ４０は、トレイ５０の開口５１から便器本体１００の収容部１０１に収められる。この際、トレイ５０の開口５１の周縁に連続して立ち上がった壁５２の上端に、バケツ４０の上縁４３が引っ掛けられる。便器本体１００の後部には、脱臭装置７５０を取り付ける脱臭装置取付部２１５（図５参照）が設けられている。収容部１０１の後部には、脱臭装置７５０へ臭気を導く脱臭ダクト７００が取り付けられる。また、この実施形態では、収容部１０１の後部には、脱臭ダクト７００が配置される受け部２１６が設けられている。
【００２６】
《上面部１０２》
上面部１０２は、図３および図５に示すように、収容部１０１の上部周辺に設けられている。上面部１０２の上には、図１に示すように、トレイ５０が配置され、その上に便座３０が配置されている。上面部１０２には、図５に示すように、肘掛取付部２１１、２１２と、背もたれ取付部２１３、２１４とが設けられている。
【００２７】
《外郭部１０３、底部１０４》
外郭部１０３は、図３および図１０に示すように、上面部１０２の周縁部から下方に延びており、収容部１０１の外側面を囲っている。底部１０４は、外郭部１０３の下端から連続し、便器本体１００の底を形成する部位である。
【００２８】
このポータブルトイレ１０では、バケツ４０を収容している収容部１０１は、図１および図１０に示すように、外郭部１０３に囲われている。このため、バケツ４０を収容している収容部１０１が外観上見えにくい。また、便器本体１００の、上面部１０２と、外郭部１０３と、底部１０４とは、一連に連なっている。便器本体１００を構成する部材の縁が下方に張り出していない。このため、ポータブルトイレ１０の前面では、使用者および介助者の足が、ポータブルトイレ１０の下端に引っ掛かりにくい。
【００２９】
さらに、便器本体１００の前面では、外郭部１０３が、上面部１０２の周縁から底部１０４へ向かうにつれて後方に傾斜している。換言すれば、外郭部１０３の下側の側面部１１３は、平面視において、便器本体１００の上面部１０２の内側に延びている。特に、便器本体１００の前面では、外郭部１０３の下側の側面部１１３は、便器本体１００の上面部１０２の内側に入り込んでいる。このため、ポータブルトイレ１０に座った使用者が体の近くに足を引き寄せるための空間Ｓ１が、ポータブルトイレ１０の前面下部（つまり、使用者の足元）に確保されている。
【００３０】
ポータブルトイレ１０の前面下部にこのような空間Ｓ１があると、使用者は、ポータブルトイレ１０に座った状態で、自らの重心の近くに足を引き寄せることができ、ポータブルトイレ１０から立ち上がりやすくなる。また、介助者にとっても、ポータブルトイレ１０の前面に足を踏み入れる空間Ｓ１があるので、ベッドとポータブルトイレ１０との間で使用者が乗り移るのを介助するのが容易になる。また、この実施形態では、便器本体１００の外郭部１０３は、ポータブルトイレ１０の前面と左右の両側面とが連続した面で形成されており、上面部１０２の周縁から底部１０４へ向かうにつれて少し内側に傾斜している。かかる外郭形状によって、使用者がベッドに乗り移る際に、便器本体１００が邪魔になりにくい。
【００３１】
《上側部材２１０と下側部材２２０》
この実施形態では、ポータブルトイレ１０は、樹脂製（樹脂成形品）である。便器本体１００は、上側部材２１０と下側部材２２０とを備えている。上側部材２１０と下側部材２２０とは、上下に組み合わされている。便器本体１００は、上側部材２１０と下側部材２２０とを上下に組み合わせる構造によって、樹脂成形が容易になる。換言すれば、便器本体１００を上下に組み合わされる半割構造とすることによって、金型構造が簡素化され、成形作業が容易になる。また、便器本体１００には高い剛性が確保されている。この実施形態では、便器本体１００の外郭部１０３では、上下の中間よりも上側に、上側部材２１０と下側部材２２０との境界ＢＬが設定されている。
【００３２】
《上側部材２１０》
上側部材２１０には、便器本体１００のうち、当該境界ＢＬよりも上側の側面部１１２と、上面部１０２と、収容部１０１とが含まれている。収容部１０１は、上面部１０２の中央部分において大きく窪んだ部位である。収容部１０１には、バケツ４０が収容される。上面部１０２は、収容部１０１の左右において、肘掛取付部２１１、２１２と、背もたれ取付部２１３、２１４とが設けられている。また、収容部１０１の後部には、脱臭装置が取り付けられる脱臭装置取付部２１５と、脱臭ダクト７００が配置される受け部２１６とが設けられている。受け部２１６は、上面部１０２よりも下方に窪んでいる。側面部１１２は、図１０に示すように、上面部１０２の全周にわたって下方に屈曲して延びている。図示は省略するが、側面部１１２の下縁には、凡そ全周にわたって内側面に段差が形成されている。かかる段差には、下側部材２２０の上縁２２０ａが組み付けられる。
【００３３】
また、上側部材２１０の周縁には、上側部材２１０と下側部材２２０とを組み付けるための複数のピン（図示省略）が設けられている。ピンは、上側部材２１０の内側に設けられており、下方に突出している。また、上側部材２１０の周縁には、図５に示すように、上側部材２１０と下側部材２２０とを組み付けるための複数のねじ穴２１０ｃが形成されている。また、上側部材２１０の後部の脱臭装置取付部２１５の周縁部には、脱臭装置７５０を取り付けるための取付穴２１０ｄが形成されている。
【００３４】
ここでは、上側部材２１０の肘掛取付部２１１、２１２と背もたれ取付部２１３、２１４とに取り付けられる肘掛３００、４００と背もたれ２５０を説明し、その後、便器本体１００の下側部材２２０を説明する。
【００３５】
《肘掛３００、４００》
ここで、左右の肘掛３００、４００は、凡そ同様の構造を有している。肘掛３００、４００は、図１〜３に示すように、肘掛ベース３０１、４０１と、肘掛本体３０２、４０２と、高さ調節機構３０３、４０３とを備えている。肘掛本体３０２、４０２は、肘掛ベース３０１、４０１に設けられた前後の２本の支柱（３１２、３１３）、（４１２、４１３）で支持されている。高さ調節機構３０３、４０３は、２本の支柱（３１２、３１３）、（４１２、４１３）の長さを調節する機構である。この実施形態では、高さ調節機構３０３、４０３は、２本の支柱（３１２、３１３）、（４１２、４１３）の中間部に架け渡された中空軸３１４、４１４の内部に設けられている。中空軸３１４、４１４の左右両面に、高さ調節機構の操作部（３８５、３８６）、（４８５、４８６）が設けられている。
【００３６】
肘掛ベース３０１、４０１は、前後方向に沿って延びた長手のプレートであり、便器本体１００の上面部１０２に設けられた肘掛取付部２１１、２１２（図２，図３および図５参照）に装着される。肘掛取付部２１１、２１２は、上側部材２１０の上面部１０２の左右において、それぞれ肘掛３００、４００を取り付ける位置に設けられている。肘掛取付部２１１、２１２は、図５に示すように、前後に延びた長手の窪み２２１、２２２を有している。当該窪み２２１、２２２には、縦穴（２２３、２２５）、（２２４、２２６）と、係合溝２２７、２２８と、鍵穴２３１、２３２が形成されている。
【００３７】
ここで、肘掛取付部２１１、２１２には、左右の肘掛３００、４００の肘掛ベース３０１、４０１の基部３１１、４１１（図１参照）が嵌る。図示は省略するが、肘掛ベース３０１、４０１の基部３１１、４１１の底には、支柱（３１２、３１３），（４１２、４１３）の下端部（図示省略）が突出しており、肘掛取付部２１１、２１２の縦穴（２２３、２２５）、（２２４、２２６）（図５参照）に嵌まっている。また、肘掛ベース３０１、４０１の基部３１１、４１１の底には、肘掛取付部２１１、２１２の係合溝２２７、２２８に装着される突起（図示省略）が設けられている。また、肘掛ベース３０１、４０１の基部３１１、４１１は、肘掛取付部２１１、２１２の鍵穴２３１、２３２に連通した係合穴（図示省略）を有している。左右の肘掛ベース３０１、４０１の基部３１１、４１１は、便器本体１００の左右の肘掛取付部２１１、２１２にそれぞれ装着され、鍵穴２３１、２３２および係合穴（図示省略）に挿通される固定ピン３５０，４５０によって固定される。図１から図３に示す例では、右側の肘掛ベース４０１の前側の支柱４１２に、トイレットペーパーホルダ６０が取り付けられている。
【００３８】
図４は、ポータブルトイレ１０の蓋２０を閉じた状態での平面図である。この実施形態では、左右の肘掛３００、４００は、平面視において、肘掛ベース３０１の支柱３１２、３１３（４１２、４１３）の中心軸を結ぶ線Ｃ１に対して、肘掛部３４１（４４１）が内側に張り出している長さＬ１と、外側に張り出している長さＬ２が異なる。例えば、図４に示すように、この実施形態では、肘掛部３４１（４４１）が内側に張り出している長さＬ１は、外側に張り出している長さＬ２よりも長い。また、便器本体１００の肘掛取付部２１１、２１２は、左右で同じ構造を有している。この実施形態では、左の肘掛３００を右側の肘掛取付部２１２に取り付けることができ、右の肘掛４００を左側の肘掛取付部２１１に取り付けることができる。左右の肘掛３００、４００を入れ替えることで、ポータブルトイレ１０における肘掛部３４１（４４１）の間隔Ｌ３を変えることができる。
【００３９】
また、左右の肘掛３００、４００は、使用者や介助者のニーズに応じて適宜に取り外すことができる。また、ポータブルトイレ１０は、便器本体１００から肘掛３００、４００を取り外した際に、便器本体１００の肘掛取付部２１１、２１２に被せることができるカバーが付属されているとよい。かかるカバーは、肘掛取付部２１１、２１２に取り付けられた際に、便器本体１００の上面を平坦にする形状であるとよい。
【００４０】
また、肘掛ベース３０１（４０１）の後側の支柱３１３（４１３）の外周面に、後方に突出した係合片を備えている。背もたれ２５０に形成された係合溝２５６、２５７（図１〜図３参照）にそれぞれ係合している。
【００４１】
《背もたれ２５０》
次に、ポータブルトイレ１０の背もたれ２５０を説明する。背もたれ取付部２１３、２１４は、図５に示すように、便器本体１００の上面において、後部の左右両側にそれぞれ設けられている。背もたれ２５０は、図１に示すように、便器本体１００の上面において、蓋２０を後方に通すことができる開口２５１を有している。この背もたれ２５０は、図１〜図４に示すように、左右の柱部２５２、２５３と、背もたれ部２５４と、クッション２５５とを備えている。柱部２５２、２５３は、ポータブルトイレ１０の背部において、便器本体１００の左右両側に設けられた背もたれ取付部２１３、２１４に取り付けられる。柱部２５２、２５３は、便器本体１００の背もたれ取付部２１３、２１４から上方に立ち上がっている。背もたれ部２５４は、柱部２５２、２５３の上端に架け渡されている。クッション２５５は、背もたれ部２５４の前面に取り付けられている。
【００４２】
《下側部材２２０》
次に下側部材２２０を説明する。下側部材２２０には、図１０に示すように、便器本体１００のうち、当該境界ＢＬよりも下側の側面部１１３と、底部１０４とが含まれている。下側部材２２０は、図６から図９に示すように、全体として有底の略矩形の箱形状である。下側部材２２０の底部１０４には、上側部材２１０の収容部１０１の底１０１ａ（図５参照）に対向する部位に開口１０４ａが形成されている。開口１０４ａの縁には、周方向に連続した突起１０４ａ１が設けられている。側面部１１３は、底部１０４の周縁から全周にわたって上方に屈曲して延びている。下側部材２２０の上縁２２０ａには、図７に示すように、凡そ全周にわたって外側面に段差２２０ａ１が設けられている。かかる段差２２０ａ１には、上側部材２１０の下縁が組み付けられる。なお、図示の便宜上、下側部材２２０の平面が図示された図（図６、図８、図１３、図１４）において、かかる上縁２２０ａに設けられた段差２２０ａ１は図示を省略している。
【００４３】
下側部材２２０の周縁には、図６および図８に示すように、ピン穴２２０ｂが設けられている。ピン穴２２０ｂは、便器本体１００の内側に設けられており、略矩形の下側部材２２０の四隅に設けられている。この実施形態では、図示は省略するが、上側部材２１０の四隅には、便器本体１００の内側において、下側部材２２０のピン穴２２０ｂに嵌まる内径を有し、上方に突出したピンが設けられている。また、下側部材２２０の周縁には、上側部材２１０に形成されたねじ穴２１０ｃに対応する位置にねじ穴２２０ｃが形成されている。この実施形態では、上側部材２１０のピン（図示省略）と下側部材２２０のピン穴２２０ｂは、それぞれ便器本体１００の内側に設けられているため、ポータブルトイレ１０の外観を損なわない。
【００４４】
便器本体１００の側面には、水抜き穴２２０ｄが形成されている。この実施形態では、図６および図８に示すように、下側部材２２０の後部において、上縁２２０ａに切欠きが形成されている。切欠きは、上側部材２１０と下側部材２２０とが組み合わせた状態でも、便器本体１００の内部に連通した開口（水抜き穴２２０ｄ）になる。例えば、ポータブルトイレ１０を水洗いした際に、便器本体１００の内部に水が入る場合がある。このような場合に、ポータブルトイレ１０の後部を下に向けて放置すると、ポータブルトイレ１０の後部の水抜き穴２２０ｄから便器本体１００の外に水が排出される。この実施形態では、水抜き穴２２０ｄは、便器本体１００の後側の側面に形成されているが、水抜き穴２２０ｄを形成する部位は、便器本体１００の後側の側面に限定されない。例えば、水抜き穴２２０ｄは、便器本体１００の左右の側面に設けられていてもよいし、便器本体１００の前面に設けられていてもよい。なお、便器本体１００の後側の側面は、使用者が使用する際に、目立たないので、水抜き穴２２０ｄを形成する位置に適している。
【００４５】
この実施形態では、便器本体１００の底部１０４の前後左右の隅部には、脚５００、６００の軸部５０１、５０２、６０１、６０２が装着されるボス１２１〜１２４が設けられている。図８および図９に示すように、便器本体１００には、バケツ４０を収容する収容部１０１が中央部分に設けられている。これに対して、便器本体１００の底部１０４は、中央部分１０４ｂが下方に凹んでおり、左右のボス１２１〜１２４が設けられた側部１０４ｃ、１０４ｄが中央部分１０４ｂよりも少し高くなっている。この実施形態では、ボス１２１〜１２４は、上下方向の中間部位に段差１２１ａ〜１２４ａを有しており、上側よりも下側が太くなっている。下側部材２２０の底面には、左側の前後のボス１２１、１２２を前後に繋ぐリブ１２５と、右側の前後のボス１２３、１２４を前後に繋ぐリブ１２６とが設けられている。
【００４６】
図６および図７に示すように、ボス１２１〜１２４には、ホルダ２４０Ｌ、２４０Ｒが取り付けられている。左側ホルダ２４０Ｌは、左側の前後のボス１２１、１２２およびリブ１２５に被さっている。また、右側ホルダ２４０Ｒは、右側の前後のボス１２３、１２４およびリブ１２６に被さっている。リブ１２５、１２６には、ねじ穴１２７と軸部１２７ａが設けられている。また、下側部材２２０の内側面２３８は、便器本体１００の外郭部１０３に沿った形状を有している。この実施形態では、下側部材２２０の内側面２３８は、左側のボス１２１、１２２の間、右側のボス１２３、１２４の間で便器本体１００の内部に向けて窪んだ形状に湾曲している。
【００４７】
《ホルダ２４０Ｌ、２４０Ｒ》
左右のホルダ２４０Ｌ、２４０Ｒは、図６に描かれている。図１１は、左側ホルダ２４０Ｌの平面図である。図１２は、図１１のＸＩＩ−ＸＩＩ断面矢視図である。ホルダ２４０Ｌ、２４０Ｒは、図６に示すように、便器本体１００の内部に配置されている。下側部材２２０の底面には、左側の前後のボス１２１、１２２を前後に繋ぐリブ１２５と、右側の前後のボス１２３、１２４を前後に繋ぐリブ１２６とが設けられている。
【００４８】
左側ホルダ２４０Ｌは、下側部材２２０の底部の左側に配置され、左側の前後のボス１２１、１２２およびリブ１２５（図８参照）に被さっている。左側ホルダ２４０Ｌは、筒部２４１、２４２と、外側部２４５Ｌと、中間部２４６Ｌとを有している。
【００４９】
筒部２４１、２４２は、下側部材２２０の左側のボス１２１、１２２の外側に装着される。筒部２４１、２４２の内周面は、ボス１２１、１２２の外周面に沿った形状を有している。筒部２４１、２４２は、ボス１２１、１２２よりも少し低いが、下側部材２２０の底面から突出したボス１２１、１２２の外周面を概ね全て覆っている。
【００５０】
左側ホルダ２４０Ｌの外側部２４５Ｌは、下側部材２２０の内側面２３８に沿って延びている。この実施形態では、左側ホルダ２４０Ｌの外側部２４５Ｌは、下側部材２２０の内側面２３８のうち、左側の内側面および前後の側面に沿って延びた形状を有している。
【００５１】
左側ホルダ２４０Ｌの中間部２４６Ｌは、筒部２４１、２４２と外側部２４５Ｌとを繋いでいる。この実施形態では、左側ホルダ２４０Ｌの中間部２４６Ｌは、底部２４７Ｌと、複数のリブ２４８Ｌと、リブ装着部２４９Ｌとを備えている。左側ホルダ２４０Ｌの底部２４７Ｌは、下側部材２２０の底面に沿って延びた底面を有しており、リブ装着部２４９Ｌと、外側部２４５Ｌと、筒部２４１、２４２との下端に一連に連なっている。
【００５２】
リブ装着部２４９Ｌは、下側部材２２０の左側のボス１２１、１２２の間を繋ぐように前後に延びたリブ１２５（図８参照）に被さる部位である。ここでは、リブ１２５の左右両側および頂部を覆っている。この実施形態では、リブ１２５には、ホルダ２４０Ｌを固定するためのビス１２８が取り付けられるねじ穴１２７および軸部１２７ａが設けられている。リブ装着部２４９Ｌは、図１２に示すように、リブ１２５が装着される空隙を備えている。
【００５３】
リブ装着部２４９Ｌの頂部には、リブ１２５のねじ穴１２７に応じて貫通孔２４９Ｌ１（図１１参照）が形成されている。リブ１２５に設けられた軸部１２７ａが嵌まる窪み２４９Ｌ２が設けられている。また、ホルダ２４０Ｌの筒部２４１、２４２には、リブ１２５を挿通させる、スリット２４９Ｌ３、２４９Ｌ４が形成されている。左側ホルダ２４０Ｌでは、下側部材２２０の底部の左側に配置され、左側の前後のボス１２１、１２２に筒部２４１、２４２が装着され、リブ１２５（図８参照）にリブ装着部２４９Ｌが被せられる。さらに、リブ装着部２４９Ｌの頂部に設けられた貫通孔２４９Ｌ１を通じて、リブ１２５のねじ穴１２７にビス１２８が取り付けられる。かかるビス１２８によって、ホルダ２４０Ｌは、下側部材２２０に固定されている。
【００５４】
リブ２４８Ｌは、筒部２４１、２４２と、外側部２４５Ｌと、リブ装着部２４９Ｌとの間に、適当に設けられている。ここで、リブ２４８Ｌは、筒部２４１、２４２の周りに放射状に配置されており、また、リブ装着部２４９Ｌの左右では、格子状に設けられている。リブ２４８Ｌは、それぞれ左側ホルダ２４０Ｌの底部２４７Ｌから立ち上がっている。
【００５５】
右側ホルダ２４０Ｒは、右側の前後のボス１２３、１２４およびリブ１２６に被さっている。右側ホルダ２４０Ｒは、左側ホルダ２４０Ｌと概ね左右対称な形状を有している。ここで、右側ホルダ２４０Ｒは、筒部２４３、２４４と、外側部２４５Ｒと、中間部２４６Ｒと、底部２４７Ｒと、複数のリブ２４８Ｒと、リブ装着部２４９Ｒとを有している。右側ホルダ２４０Ｒの各部位は、左側ホルダ２４０Ｌの各部位と同様であるので、ここでは左側ホルダ２４０Ｌの各部位の説明がされる。右側ホルダ２４０Ｒは、下側部材２２０の右側の前後のボス１２３、１２４およびリブ１２６に被さって、ビス１２８で下側部材２２０に固定されている。
【００５６】
《脚５００、６００》
ポータブルトイレ１０は、便器本体１００の底部１０４に前後左右の隅部に設けられた４つのボス１２１〜１２４にそれぞれ脚５００、６００の軸部５０１、５０２、６０１、６０２が装着されている。
【００５７】
この実施形態では、左右の脚５００、６００は、図１に示すように、それぞれ２本の軸部（５０１、５０２）、（６０１、６０２）と、フロントベース部５０３、６０３と、リヤベース部５０４、６０４と、連結部５０５、６０５とを備えている。なお、ここで、左側の脚５００の各部材および部位には５００番台の符号を付している。右側の脚６００の各部材および部位には、左側の脚５００に対応させて、６００番台の符号を付している。また、右側の脚６００の、軸部６０２と、リヤベース部６０４と、連結部６０５とは、図１〜図３において、便器本体１００に隠れており、図示されていない。右側の脚６００の軸部６０２と、リヤベース部６０４と、連結部６０５とは、それぞれ左側の脚５００の軸部５０２と、リヤベース部５０４と、連結部５０５と凡そ左右が対象な構造を有している。
【００５８】
フロントベース部５０３（６０３）は、前側の軸部５０１（６０１）の下端から前方に延びた部位である。リヤベース部５０４（６０４）は、後側の軸部５０２（６０２）の下端から後方に延びた部位である。この実施形態では、リヤベース部５０４（６０４）の後端には、キャスター５０６（６０６）が取り付けられている。図１では、右側のリヤベース部６０４（図７参照）および右側のリヤベース部６０４の後端に取り付けられたキャスター６０６（図７参照）は、便器本体１００に隠れており、図示されていない。
【００５９】
左右の脚５００、６００の、２本の軸部（５０１、５０２）、（６０１、６０２）は、便器本体１００の底部１０４には設けられたボス１２１〜１２４（図１１参照）に装着されている（図６および図８参照）。ボス１２１〜１２４と軸部（５０１、５０２）、（６０１、６０２）との接合部分には、便器本体１００の底部１０４から突出する軸部（５０１、５０２）、（６０１、６０２）の長さを調節する構造８００（高さ調節構造）が設けられている。便器本体１００の底部１０４から突出する軸部５０１、５０２（６０１、６０２）の長さを調節することによって、ポータブルトイレ１０の便座３０の高さを調整することができる。
【００６０】
この実施形態では、便器本体１００の下に２本の軸部５０１、５０２（６０１、６０２）があり、フロントベース部５０３（６０３）が、前側の軸部５０１（６０１）の下端から前方に延びている。また、リヤベース部５０４（６０４）は、後側の軸部５０２（６０２）の下端から後方に延びている。つまり、このポータブルトイレ１０は、単純な４本足の椅子のような構造ではない。かかるフロントベース部５０３（６０３）によって、ポータブルトイレ１０は前方へ転倒するのが確実に防止されている。
【００６１】
例えば、ポータブルトイレ１０の使用者が、肘掛３００、４００の肘掛部３４１、４４１の前側に体重を掛けて立ち上がろうとする場合に撓みやすい。このポータブルトイレ１０は、ポータブルトイレ１０の使用者が、肘掛３００、４００の肘掛部３４１、４４１の前側に体重を掛けて立ち上がろうとする場合に、前方へ傾くように力が掛かる。しかし、脚５００が便器本体１００の前方へ延びた脚５００、６００のフロントベース部５０３、６０３によって、ポータブルトイレ１０が前方への倒れるのが防止される。
【００６２】
また、この実施形態では、ポータブルトイレ１０の下部後方にはリヤベース部５０４（６０４）が延びている。例えば、介助者が背もたれに体重を掛けて、介助作業を行うような場合でも、ポータブルトイレ１０が後方へ傾くように力が作用する。この場合、かかるリヤベース部５０４（６０４）によって、ポータブルトイレ１０が後方へ倒れるのを防止できる。
【００６３】
このように、この実施形態では、ポータブルトイレ１０の脚５００、６００は、フロントベース部５０３、６０３と、リヤベース部５０４、６０４と、連結部５０５、６０５とを有し、それぞれ前後方向に連続したベース部分を有している。なお、ポータブルトイレ１０の脚は、単純な４本足の椅子のような構造でもよい。
【００６４】
このポータブルトイレ１０は樹脂製である。このような樹脂製のポータブルトイレ１０は、一般的には、木製の簡易トイレなどと比べると、全体が軽量であるとともに剛性が低く、全体として撓みやすい。
【００６５】
ポータブルトイレ１０には、便器本体１００の底部１０４に装着された脚５００、６００の軸部５０１、５０２（６０１、６０２）の基端にも大きな力が作用する。この実施形態では、図６に示すように、便器本体１００の底部１０４に、底部１０４の前後左右の隅部において便器本体１００の内部に突出したボス１２１〜１２４を有している。脚５００、６００の軸部５０１、５０２（６０１、６０２）は、ボス１２１〜１２４に装着されている。さらに、当該ボス１２１〜１２４には、便器本体１００の内部に配置されたホルダ２４０Ｌ、２４０Ｒが装着されている。
【００６６】
ホルダ２４０Ｌは、ボス１２１、１２２に装着された筒部２４１、２４２と、下側部材の内側面に沿って延びた外側部２４５Ｌと、筒部２４１、２４２と外側部２４５とを繋ぐ中間部２４６Ｌとを有している。ホルダ２４０Ｒは、ボス１２３、１２４に装着された筒部２４３、２４４と、下側部材の内側面に沿って延びた外側部２４５Ｒと、筒部２４３、２４４と外側部２４５Ｒとを繋ぐ中間部２４６Ｒとを有している。
【００６７】
かかるホルダ２４０Ｌ、２４０Ｒとの係合によって、便器本体１００の底部１０４に設けられたボス１２１〜１２４およびその近傍に所要の強度が確保されている。これにより、脚５００、６００の軸部５０１、５０２（６０１、６０２）を通じて、大きな力が作用した場合でも、便器本体１００は、ボス１２１〜１２４およびその近傍の変形が小さく抑えられる。また、ホルダ２４０Ｌ、２４０Ｒは、便器本体１００の外観に現れず、ポータブルトイレ１０の美観を損なわせない。
【００６８】
例えば、上述した実施形態には、ホルダ２４０Ｌ、２４０Ｒの中間部２４６Ｒには、複数のリブが設けられており、ホルダ２４０Ｌ、２４０Ｒの外側面には、リブが設けられた部位に応じてヒケが生じる。このようなヒケは、便器本体１００の外観には影響がない。また、上述した実施形態では、下側部材２２０には、リブ１２５、１２６が設けられている。底部１０４の外側面には、当該リブ１２５、１２６に応じてヒケが生じうる。このようなリブ１２５、１２６に応じたヒケは、便器本体１００の底部１０４の外側面に生じるものであり、ポータブルトイレ１０の通常の使用では目立たない。このため、ポータブルトイレ１０の外観の印象を損なわせるものではない。このように、ポータブルトイレ１０は、ボス１２１〜１２４にホルダ２４０Ｌ、２４０Ｒが装着されていることによって、外観の印象が損なわれずに、剛性が向上されている。
【００６９】
また、この実施形態では、図６に示すように、底部の前後左右の隅部に形成されたボス１２１〜１２４のうち、左側の前後に配置された２つのボス１２１、１２２に装着されるホルダ２４０Ｌを備えている。左側ホルダ２４０Ｌは、２つの筒部２４１、２４２と、外側部２４５Ｌと、中間部２４６Ｌとを有している。２つの筒部２４１、２４２は、左側の前後に配置された２つのボス１２１、１２２に装着されている。外側部２４５Ｌは、２つのボス１２１、１２２の周りにおいて下側部材２２０の内側面２３８に沿って延びている。中間部２４６Ｌは、２つの筒部２４１、２４２と外側部２４５Ｌとを繋いでいる。ホルダ２４０Ｌが装着されることによって、便器本体１００の下側部材２２０の左側の剛性が向上する。
【００７０】
また、この実施形態では、右側の前後に配置された２つのボス１２３、１２４に装着されるホルダ２４０Ｒを備えている。右側ホルダ２４０Ｒは、２つの筒部２４３、２４４と、外側部２４５Ｒと、中間部２４６Ｒとを有している。２つの筒部２４３、２４４は、右側の前後に配置された２つのボス１２３、１２４に装着されている。外側部２４５Ｒは、２つのボス１２３、１２４の周りにおいて下側部材２２０の内側面２３８に沿って延びている。中間部２４６Ｒは、２つの筒部２４３、２４４と外側部２４５Ｒとを繋いでいる。ホルダ２４０Ｒが装着されることによって、便器本体１００の下側部材２２０の左側の剛性が向上する。
【００７１】
また、この実施形態では、ホルダ２４０Ｌ、２４０Ｒの外側部２４５Ｒ、Ｌは、筒部２４１、２４２、２４３、２４４の周りの複数の方向において、下側部材２２０の内側面２３８に接している。このため、ホルダ２４０Ｌ、２４０Ｒは、下側部材２２０の内側面２３８によって支持されており、ボス１２１〜１２４およびその近傍をより強固に支持できる。
【００７２】
ホルダ２４０Ｌ、２４０Ｒと下側部材２２０とは、筒部２４１、２４２の他に、ホルダ２４０Ｌ、２４０Ｒを下側部材２２０に対して係止する係止部を備えている。上述した実施形態では、便器本体１００の左側のボス１２１、１２２には、当該左側のボス１２１、１２２を前後に繋ぐリブ１２５が設けられている。便器本体１００の右側のボス１２３、１２４には、当該左側のボス１２３、１２４を前後に繋ぐリブ１２６が設けられている。左右のホルダ２４０Ｌ、２４０Ｒは、それぞれリブ１２５、１２６に装着されるリブ装着部２４９Ｌ、２４９Ｒを備えている。ホルダ２４０Ｌ、２４０Ｒのリブ装着部２４９Ｌ、２４９Ｒが、リブ１２５、１２６に係合している。このことによって、ホルダ２４０Ｌ、２４０Ｒが下側部材２２０においてずれにくく、軸部５０１、５０２、６０１、６０２からボス１２１〜１２４に大きな力が作用した場合でもボス１２１〜１２４の変形が小さく抑えられる。
【００７３】
かかるリブ１２５、１２６とリブ装着部２４９Ｌ、２４９Ｒとの関係のように、ホルダ２４０Ｌ、２４０Ｒと下側部材２２０とには、筒部２４１、２４２とボス１２１〜１２４との係合の他に、ホルダ２４０Ｌ、２４０Ｒを下側部材２２０に対して係止する係止部を備えているとよい。かかるリブ１２５、１２６とリブ装着部２４９Ｌ、２４９Ｒとの関係に変えて、または、リブ１２５、１２６とリブ装着部２４９Ｌ、２４９Ｒとの関係に加えて、同様な機能を奏する係合部を備えていると良い。図示は省略するが、かかる係合部として、例えば、便器本体１００の底部１０４の内側面において、ホルダ２４０Ｌ、２４０Ｒが取り付けられる部位に複数の突起を設け、ホルダ２４０Ｌ、２４０Ｒには、かかる突起が嵌まる穴が設けられているとよい。かかる構成によっても、ホルダ２４０Ｌ、２４０Ｒが下側部材２２０においてずれにくく、軸部５０１、５０２、６０１、６０２からボス１２１〜１２４に大きな力が作用した場合に、ボス１２１〜１２４の変形が小さく抑えられる。なお、かかる係合部は、便器本体１００の外観に現れず、ポータブルトイレ１０の美観を損なわせない。
【００７４】
また、ホルダ２４０Ｌ、２４０Ｒは、ビス１２８によって、便器本体１００に固定されている。このようにホルダ２４０Ｌ、２４０Ｒを便器本体１００に固定する締結具を備えていることによって、便器本体１００の内部で、ホルダ２４０Ｌ、２４０Ｒが固定される。例えば、ポータブルトイレ１０を大きく傾けるような場合でも、便器本体１００の内部で、ホルダ２４０Ｌ、２４０Ｒが外れることはない。
【００７５】
なお、例えば、図６および図７に示すように、ホルダ２４０Ｌ、２４０Ｒは、ビス１２８によって、便器本体１００に固定されているが、ビス１２８のような締結具による固定に変えて、便器本体１００またはホルダ２４０Ｌ、２４０Ｒに、他方の部材に引っ掛かる爪（ホルダ２４０Ｌ、２４０Ｒが便器本体１００から抜けるのを防止する爪）を設けてもよい。この場合、当該爪によれば、工具を用いずに、便器本体１００に対して、ホルダ２４０Ｌ、２４０Ｒを予め定められた位置に固定することができる。
【００７６】
以上、上述した実施形態を説明したが、ここで提案されるポータブルトイレは上述した実施形態に限定されない。
【００７７】
図１３、図１４は、ポータブルトイレ１０の変形例である。ポータブルトイレ１０は、図１３に示すように、底部１０４の前後左右の隅部に形成されたボス１２１〜１２４のうち、前側の左右に配置された２つのボス１２１、１２３に装着される前側ホルダ２４０Ｆと、前側の左右に配置された２つのボス１２２、１２４に装着される後側ホルダ２４０Ｂとを備えていてもよい。
【００７８】
この場合、前側ホルダ２４０Ｆは、図１３に示すように、前側の左右に配置された２つのボス１２１、１２３に装着される２つの筒部２４１、２４３と、２つのボス１２１、１２３の周りにおいて下側部材２２０の内側面２３８に沿って延びた外側部２４５Ｆと、上記の２つの筒部と外側面とを繋ぐ中間部２４６Ｆとを有しているとよい。
【００７９】
また、後側ホルダ２４０Ｂは、後側の左右に配置された２つのボス１２２、１２４に装着される２つの筒部２４２、２４４と、２つのボス１２２、１２４の周りにおいて下側部材２２０の内側面２３８に沿って延びた外側部２４５Ｂと、上記の２つの筒部２４２、２４４と外側部２４５Ｂとを繋ぐ中間部２４６Ｂとを有しているとよい。この場合、前側ホルダ２４０Ｆと、後側ホルダ２４０Ｂは、それぞれビスで下側部材２２０の底部１０４に固定されているとよい。また、底部１０４には、図１３に示すように、前側ホルダ２４０Ｆと後側ホルダ２４０Ｂをそれぞれ位置決めする突起１０４ｅ、１０４ｆが設けられていてもよい。
【００８０】
また、図１４に示すように、底部１０４の前後左右の隅部に形成されたボス１２１〜１２４に、それぞれ装着される４つのホルダ２４０１〜２４０４を備えていてもよい。この場合、各ホルダ２４０１〜２４０４は、ボス１２１〜１２４の何れかに装着される筒部２４１〜２４４と、当該筒部に装着されるボスの周りにおいて下側部材２２０の内側面２３８に沿って延びた外側部２４５と、筒部と外側部２４５とを繋ぐ中間部２４６とをそれぞれ備えているとよい。また、底部１０４には、図１４に示すように、各ホルダ２４０１〜２４０４をそれぞれ位置決めする突起１０４ｇが設けられていてもよい。
【００８１】
ここで、説明されたポータブルトイレ１０の各構成は、種々の変形例において適宜に組み合わされる。また、便器本体１００の底部１０４に取り付けられる脚の構造や、便器本体１００の底部１０４から突出する軸部５０１、５０２、６０１、６０２の長さを調節する構造８００（高さ調節構造）などは、上述した実施形態に限定されず、種々変更されうる。
【産業上の利用可能性】
【００８２】
本発明は、上述したようにポータブルトイレを提供するものであり、産業上利用可能である。 
【符号の説明】
【００８３】
１０  ポータブルトイレ
２０  蓋
３０  便座
４０  バケツ
５０  トレイ
６０  トイレットペーパーホルダ
１００  便器本体
１０１  収容部
１０１ａ  収容部の底
１０２  上面部
１０３  外郭部
１０４  底部
１０４ａ  開口
１０４ａ１  突起
１０４ｂ  中央部分
１０４ｃ、１０４ｄ  側部
１１２  側面部
１１３  側面部
１２１〜１２４  ボス
１２５、１２６  リブ
１２７  ねじ穴
１２７ａ  軸部
１２８  ビス
２１０  上側部材
２１０ａ  下縁
２１０ｂ  ピン
２１０ｃ  ねじ穴
２１０ｄ  取付穴
２１１、２１２  肘掛取付部
２１３、２１４  背もたれ取付部
２１５  脱臭装置取付部
２１６  受け部
２２０  下側部材
２２０ａ  上縁
２２０ａ１  段差
２２０ｂ  ピン穴
２２０ｃ  ねじ穴
２２０ｄ  水抜き穴
２３８  下側部材２２０の内側面
２４０Ｆ  前側ホルダ（ホルダ）
２４０Ｂ  後側ホルダ（ホルダ）
２４０Ｌ  左側ホルダ（ホルダ）
２４０Ｒ  右側ホルダ（ホルダ）
２４０１〜２４０４  ホルダ
２４１〜２４４  筒部
２４５  外側部
２４５Ｆ  外側部
２４５Ｂ  外側部
２４５Ｌ  外側部
２４５Ｒ  外側部
２４６  中間部
２４６Ｆ  中間部
２４６Ｂ  中間部
２４６Ｌ  中間部
２４６Ｒ  中間部
２４７Ｌ、２４７Ｒ  底部
２４８Ｌ、２４８Ｒ  リブ
２４９Ｌ、２４９Ｒ  リブ装着部
２４９Ｌ１  貫通孔
２４９Ｌ２  窪み
２４９Ｌ３、２４９Ｌ４  スリット
２５１  開口
２５２、２５３  柱部
２５４  背もたれ部
２５５  クッション
２５６  係合溝
３００、４００  肘掛
３０１、４０１  肘掛ベース
３０２、４０２  肘掛本体
３０３、４０３  調節機構
３１１、４１１  基部
３１２、３１３、４１２、４１３  支柱
３１４、４１４  中空軸
３４１、４４１  肘掛部
３５０、４５０  固定ピン
５００  脚
５００、６００  脚
５０１、５０２、６０１、６０２  軸部
５０３、６０３  フロントベース部
５０４、６０４  リヤベース部
５０５、６０５  連結部
５０６、６０６  キャスター
７００  脱臭ダクト
７５０  脱臭装置
８００  高さ調節構造
ＢＬ  上側部材２１０と下側部材２２０の境界線
【図１】
2016123606.tif 000003
【図２】
2016123606.tif 000004
【図３】
2016123606.tif 000005
【図４】
2016123606.tif 000006
【図５】
2016123606.tif 000007
【図６】
2016123606.tif 000008
【図７】
2016123606.tif 000009
【図８】
2016123606.tif 000010
【図９】
2016123606.tif 000011
【図１０】
2016123606.tif 000012
【図１１】
2016123606.tif 000013
【図１２】
2016123606.tif 000014
【図１３】
2016123606.tif 000015
【図１４】
2016123606.tif 000016